(57)【特許請求の範囲】
【請求項１】
ａ．キャビティを含む容器であって、キャビティがキャビティ開口から前記容器内へ延びる、容器と、
ｂ．前記キャビティ内に配置される電気化学バッテリーセルであって、前記電気化学バッテリーセルが金属負極と金属または半金属正極との間に配置される液体電解質を含み、前記金属負極と前記金属または半金属正極の少なくとも一つは前記電気化学バッテリーセルの動作温度で液体である、電気化学バッテリーセルと、
ｃ．前記キャビティ内の前記バッテリーセルをシールする容器蓋アセンブリであって、前記蓋アセンブリが導電容器蓋と導電フランジとを含み、前記容器蓋が、前記キャビティ開口を覆うとともに、前記容器蓋を貫通して延びる導体開口を含み、前記フランジが、前記導体開口を覆うとともに、前記容器蓋から電気的に絶縁される、容器蓋アセンブリと、
ｄ．前記導体開口を貫通して延びるとともに前記バッテリーセルと前記フランジとに電気的に結合される電気導体であって、前記導体が前記容器蓋から電気的に絶縁される、電気導体と、
を備える電気化学バッテリー。
【請求項２】
前記金属負極と前記金属または半金属正極の両方は、前記電気化学バッテリーセルの前記動作温度で液体である請求項１に記載のバッテリー。
【請求項３】
前記電気導体に電気的に結合される電流コレクタを更に備え、前記電気導体は、前記フランジに接続される請求項１に記載のバッテリー。
【請求項４】
ａ．前記導体開口は、前記容器蓋を貫通して延びる複数の導体開口のうちの１つであり、
ｂ．前記フランジは、それぞれが前記導体開口を覆って前記容器蓋から電気的に絶縁される複数の導電フランジのうちの１つであり、および／または、
ｃ．前記導体は、それぞれが前記バッテリーセルおよび前記フランジに電気的に結合されるとともに、それぞれが前記導体開口を貫通して延びて前記容器蓋から電気的に絶縁される複数の電気導体のうちの１つである、
請求項１に記載のバッテリー。
【請求項５】
前記フランジと前記容器蓋との間に配置されて前記フランジと前記容器蓋とを電気的に絶縁するガスケットを更に備える請求項１に記載のバッテリー。
【請求項６】
前記ガスケットが誘電体材料を備える請求項５に記載のバッテリー。
【請求項７】
前記容器蓋アセンブリは、前記キャビティ内の前記バッテリーセルを密閉シールまたは非密閉シールする請求項１に記載のバッテリー。
【請求項８】
前記容器が前記電気化学バッテリーセルの電極である請求項１に記載のバッテリー。
【請求項９】
前記バッテリーが少なくとも２５Ｗｈのエネルギーを蓄えることができる請求項１に記載のバッテリー。
【請求項１０】
前記ハウジングの面積に対する前記開口の面積の比率が０．２未満である請求項１に記載のバッテリー。
【請求項１１】
前記バッテリーが密閉シールまたは非密閉シールされる請求項１に記載のバッテリー。
【請求項１２】
前記フランジが前記電気導体に直接に接続される請求項１に記載のバッテリー。
【請求項１３】
前記電気導体と接続される前記キャビティ内の電流コレクタを更に備える請求項１に記載のバッテリー。
【請求項１４】
前記ガスケットがセラミック材料または窒化アルミニウムを含む請求項５に記載のバッテリー。
【請求項１５】
前記ガスケットが環状である請求項５に記載のバッテリー。
【発明の詳細な説明】
【背景技術】
【０００１】
相互参照
この出願は、２０１２年１０月１６日に出願された米国仮特許出願第６１／７１４，７１４号および２０１２年１２月１３日に出願された米国仮特許出願第６１／７３７，０６８号の利益を主張し、これらのそれぞれの出願は参照することによりその全体が本願に組み入れられる。
【０００２】
バッテリーは、蓄えられた化学エネルギーを電気エネルギーへ変換することができるデバイスである。バッテリーは多くの家庭用途および工業用途で使用される。ある場合には、バッテリーは、電気エネルギー（例えば、力学的エネルギーなどの非電気タイプのエネルギーから変換されたエネルギー）を化学エネルギーとしてバッテリーに蓄える（すなわち、バッテリーに充電する）ことができるように再充電可能である。
【発明の概要】
【０００３】
開示は、電力網内でまたはスタンドアロンシステムの一部として使用されてもよいエネルギー蓄積デバイス（例えば、バッテリー）およびハウジングを提供する。バッテリーは、電気エネルギー消費の要求が存在する際のその後の放電のために、電気生成源から充電されてもよい。
【０００４】
本開示のエネルギー蓄積デバイスは、再生可能なエネルギー源に伴う問題の少なくとも一部を軽減するのに役立つ。再生可能エネルギーは、エネルギーの供給および需要が時間的に整合しなくてもよい場合（例えば、瞬間的またはほぼ瞬間的なタイムフレーム内）には、断続的となり得る。例えば、太陽エネルギーは、太陽が輝いているときにだけ生成され、また、風力エネルギーは、風が吹いているときにだけ生成される。また、任意の所定の時間の需要は、工業活動、商業活動、地域社会活動、および、世帯活動の働きによって決まる。本明細書中に記載されるバッテリーおよびバッテリーハウジングを使用することにより、断続的な電気エネルギーの供給および需要を釣り合わせるための手段を与えることができる。
【０００５】
開示は、電流流路と壁との間の電気的接触または漏れの導入を最小限に抑えつつ高温時に金属壁を通じて電流を方向付けるためのシステムを提供する。ある場合には、これは、マイカ、バーミキュライト、ガラス、蝋付けセラミック、または、他の高温誘電体シール材料との嵌め合いフランジ接続の使用によって達成され、また、電気絶縁締結具（例えば、ボルト、クランプ）を用いてあるいは金属フランジ表面とのシールの機械的および／または化学的な付着によって確保されてもよい。フィードスルーアセンブリが金属壁の適切な開口に対してシールされてもよい（例えば、強固な溶接により）。ある場合には、フィードスルーアセンブリが電流を電極にわたって一様に分布させる。
【０００６】
本明細書中で提供されるボルト締結されたフランジアセンブリは、エネルギー蓄積デバイスのハウジングのキャビティをシールするのに適切であり得る圧縮力を与えることができる。ある場合には、フランジアセンブリの使用が、シーラントおよび電気絶縁材料としてのマイカガスケットまたはバーミキュライトガスケットの使用に従順な幾何学的形態を与えることもできる。幾つかの実施において、シール表面の幾何学的形態は、シールされるべきハウジング（または容器）の幾何学的形態から切り離される。ある場合には、ハウジングのサイズおよび形状がシールのサイズおよび形状を決定付けなくてもよい。
【０００７】
一態様において、電気化学セルは、導電ハウジングと、電流コレクタと電気的に通じる導体とを備え、導体は、ハウジングの開口を通じてハウジングから突出するとともに、ハウジングから電気的に絶縁され、電気化学セルは、少なくとも２５Ｗｈのエネルギーを蓄えるおよび／または取り入れることができる。幾つかの実施形態において、電気化学セルは、前記電流コレクタに隣接する液体金属アノードを備える。幾つかの実施形態では、液体金属がリチウムを備える。
【０００８】
他の態様では、バッテリーが請求項１の複数の電気化学セルを備え、この場合、バッテリーは少なくとも１００ｋＷｈのエネルギーを蓄えることができる。
【０００９】
他の態様において、バッテリーハウジングは、導電容器と、電流コレクタと電気的に通じる導体とを備え、導体は、容器の開口を通じてハウジングから突出するとともに、容器から電気的に絶縁され、ハウジングは、少なくとも２５Ｗｈのエネルギーを蓄えるおよび／または取り入れることができる電気化学セルを収容することができる。幾つかの実施形態では、ハウジングが電気化学セルを密閉シールすることができる。
【００１０】
他の態様において、電気化学セルは、導電ハウジングと、電流コレクタと電気的に通じる導体とを備え、導体は、ハウジングの開口を通じてハウジングから突出するとともに、ハウジングから電気的に絶縁され、ハウジングの面積に対する開口の面積の比率は０．１未満である。幾つかの実施形態において、セルは、前記電流コレクタに隣接する液体金属アノードを備える。幾つかの実施形態では、液体金属がリチウムを備える。幾つかの実施形態では、セルが少なくとも２５Ｗｈのエネルギーを蓄えるおよび／または取り入れることができる。
【００１１】
他の態様において、バッテリーハウジングは、導電容器と、電流コレクタと電気的に通じる導体とを備え、導体は、容器の開口を通じて容器から突出するとともに、容器から電気的に絶縁され、容器の面積に対する開口の面積の比率は０．１未満であり、ハウジングは、少なくとも２５Ｗｈのエネルギーを蓄えるおよび／または取り入れることができるバッテリーを収容することができる。
【００１２】
他の態様において、電気化学エネルギー蓄積デバイスは、ハウジングと、液体金属電極と、液体金属電極と接触する電流コレクタと、電流コレクタと電気的に通じるとともにハウジングの開口を通じてハウジングから突出する複数の導体とを備える。幾つかの実施形態では、電流が液体金属電極にわたって略均一に分布される。幾つかの実施形態では、液体金属電極が表面に沿って電解質と接触し、また、表面にわたって流れる電流が均一である。幾つかの実施形態において、表面の領域にわたって流れる電流の最大密度は、表面にわたって流れる電流の平均密度の約１５０％未満である。幾つかの実施形態において、表面の領域にわたって流れる電流の最小密度は、表面にわたって流れる電流の平均密度の約５０％を超える。
【００１３】
他の態様において、バッテリーハウジングは、導電容器と、複数の容器開口と、電流コレクタと電気的に通じる複数の導体とを備え、導体は、容器開口を通過するとともに、導電容器から電気的に絶縁され、ハウジングは、電流コレクタと接触する液体金属電極を備える電気化学セルを収容することができる。幾つかの実施形態では、電流が液体金属電極にわたって略均一に分布される。幾つかの実施形態では、液体金属電極が表面に沿って電解質と接触し、また、表面にわたって流れる電流が均一である。幾つかの実施形態において、表面の領域にわたって流れる電流の最大密度は、表面にわたって流れる電流の平均密度の約１５０％未満である。幾つかの実施形態において、表面の領域にわたって流れる電流の最小密度は、表面にわたって流れる電流の平均密度の約５０％を超える。
【００１４】
他の態様において、電気化学エネルギー蓄積デバイスは、液体金属アノードとカソードとを備え、電気化学エネルギー蓄積デバイスは、少なくとも２５Ｗｈのエネルギーを蓄えるおよび／または取り入れることができるとともに、密閉または非密閉シールされる。幾つかの実施形態では、デバイスが少なくとも１００ｋＷｈのエネルギーを蓄えることができる。幾つかの実施形態では、電気化学エネルギー蓄積デバイスがリチウムを備える液体アノードである。幾つかの実施形態において、電気化学エネルギー蓄積デバイス内への酸素移動の割合は、電気化学エネルギー蓄積デバイスが５００℃の温度および１バールの圧力で空気と接触されるときに０．５ｍＬ／時未満である。幾つかの実施形態では、電気化学エネルギー蓄積デバイスが１５個未満のボルトまたは締結具を備える。幾つかの実施形態では、電気化学エネルギー蓄積デバイスがボルトまたは締結具を備えない。
【００１５】
他の態様では、電気化学セルの編成であり、前記編成の個々のセルが帯電状態の液体リチウムアノードを備え、編成は少なくとも２５Ｗｈのエネルギーを蓄えるおよび／または取り入れることができ、また、各セルは密閉シールされる。幾つかの実施形態において、編成は、少なくとも１００ｋＷｈのエネルギーを蓄えることができる。
【００１６】
他の態様において、バッテリーハウジングは、導電容器と、容器開口と、電流コレクタと電気的に通じる導体とを備え、導体は、容器開口を通過するとともに、導電容器から電気的に絶縁され、ハウジングは、少なくとも２５Ｗｈのエネルギーを蓄えるおよび／または取り入れることができるバッテリーを密閉シールすることができる。幾つかの実施形態において、ハウジングは、少なくとも１００ｋＷｈのエネルギーを蓄えることができるバッテリーを密閉シールすることができる。幾つかの実施形態において、バッテリーは、前記電流コレクタに隣接する液体金属アノードを備える。
【００１７】
他の態様において、エネルギー蓄積デバイスは、第２の電気化学セルに隣接する第１の電気化学セルを備え、前記第１および第２のセルのそれぞれは、導電ハウジングと、電流コレクタと電気的に通じる導体とを備え、導体は、ハウジングから電気的に絶縁されるとともに、導体がエネルギー蓄積デバイスの隣接する電気化学セルのハウジングと接触するようにハウジングの開口を通じてハウジングから突出する。幾つかの実施形態において、第１および／または第２の電気化学セルは、前記電流コレクタに隣接する液体金属アノードを備える。幾つかの実施形態において、導体は、第１および第２のセルが積層形態を成すときに、エネルギー蓄積デバイスの隣接する電気化学セルのハウジングと接触する。幾つかの実施形態では、第１および第２のセルが少なくとも２５Ｗｈのエネルギーを蓄えるおよび／または取り入れることができる。幾つかの実施形態では、エネルギー蓄積デバイスが１〜１０個の電気化学セルの積層体を備える。幾つかの実施形態では、エネルギー蓄積デバイスが１１〜５０個の電気化学セルの積層体を備える。幾つかの実施形態では、エネルギー蓄積デバイスが５１〜１００個の電気化学セルまたはそれ以上のセルの積層体を備える。
【００１８】
他の態様において、バッテリーハウジングは、導電容器と、電流コレクタと電気的に通じる導体とを備え、導体は、容器の開口を通じてハウジングから突出するとともに、容器から電気的に絶縁され、第１のハウジングの導体は、第１および第２のハウジングが積層形態を成すときに第２のハウジングの容器と接触する。幾つかの実施形態において、ハウジングは、液体金属電極を備える電気化学セルを密閉シールすることができる。幾つかの実施形態において、ハウジングは、少なくとも２５Ｗｈのエネルギーを蓄えるおよび／または取り入れることができる電気化学セルを密閉シールすることができる。
【００１９】
他の態様において、電気化学エネルギー蓄積デバイスは、アノード、カソード、電解質、プラス電流コレクタ、および、マイナス電流コレクタを備え、マイナス電流コレクタがアノードと接触するとともに、プラス電流コレクタがカソードと接触し、電解質が前記アノードとカソードとの間に配置され、電気化学エネルギー蓄積デバイスは、少なくとも２５Ｗｈのエネルギーを蓄えるおよび／または取り入れることができるとともに、１５個未満のボルトまたは締結具を備える。幾つかの実施形態では、デバイスが少なくとも１００ｋＷｈのエネルギーを蓄えることができる。幾つかの実施形態では、電気化学エネルギー蓄積デバイスが５個未満のボルトまたは締結具を備える。幾つかの実施形態では、電気化学エネルギー蓄積デバイスがボルトまたは締結具を備えない。幾つかの実施形態では、電気化学エネルギー蓄積デバイスが前記電流コレクタに隣接する液体金属アノードを備える。
【００２０】
他の態様では、電気化学セルの編成であり、前記編成の個々のセルが帯電状態の液体リチウムアノードを備え、編成は少なくとも２５Ｗｈのエネルギーを蓄えるおよび／または取り入れることができ、また、各バッテリーは１０個未満のボルトまたは締結具を備える。幾つかの実施形態において、編成は、少なくとも１００ｋＷｈのエネルギーを蓄えることができる。
【００２１】
他の態様では、液体金属アノードを有する電気化学エネルギー蓄積デバイスを密閉シールするバッテリーハウジングであり、電気化学エネルギー蓄積デバイスは少なくとも２５Ｗｈのエネルギーを蓄えるおよび／または取り入れることができ、バッテリーハウジングは１０個未満のボルトまたは締結具を備える。幾つかの実施形態において、ハウジングは、少なくとも１００ｋＷｈのエネルギーを蓄えることができる電気化学エネルギー蓄積デバイスを密閉シールすることができる。
【００２２】
他の態様において、電気化学セルは、導電ハウジングと、電流コレクタと電気的に通じる導体とを備え、導体は、ハウジングの開口を通じてハウジングから突出するとともに、ガスケットを用いてハウジングから電気的に絶縁され、ガスケットに作用する力は、ハウジングがシールされるときに少なくとも５０００ｐｓｉである。幾つかの実施形態において、ガスケットに作用する力は、ハウジングがシールされるときに少なくとも１００００ｐｓｉである。幾つかの実施形態では、ガスケットはフランジおよび１０個以下のボルトまたは締結具と取り付けられる。幾つかの実施形態では、ガスケットが接着剤であり、また、セルがボルトまたは締結具を備えない。
【００２３】
他の態様において、バッテリーハウジングは、導電容器と、電流コレクタと電気的に通じる導体とを備え、導体は、容器の開口を通じて容器から突出するとともに、ガスケットを用いて容器から電気的に絶縁され、ガスケットに作用する力は、バッテリーハウジングがシールされるときに少なくとも５０００ｐｓｉである。幾つかの実施形態において、ガスケットに作用する力は、バッテリーハウジングがシールされるときに少なくとも１００００ｐｓｉである。幾つかの実施形態では、ガスケットはフランジおよび１０個以下のボルトまたは締結具と取り付けられる。幾つかの実施形態において、ハウジングは、少なくとも２５Ｗｈのエネルギーを蓄えるおよび／または取り入れることができる電気化学セルを収容することができる。幾つかの実施形態において、ハウジングは、バッテリーを密閉状態または非密閉状態でシールすることができる。
【００２４】
他の態様において、電気化学バッテリーハウジングは、（ａ）キャビティを含む容器であって、キャビティがキャビティ開口から容器内へ延びる、容器と、（ｂ）キャビティをシールする容器蓋アセンブリであって、蓋アセンブリが導電容器蓋と導電フランジとを含み、容器蓋が、キャビティ開口を覆うとともに、容器蓋を貫通して延びる導体開口を含み、フランジが、導体開口を覆うとともに、容器蓋から電気的に絶縁される、容器蓋アセンブリと、（ｃ）フランジに接続されて導体開口を貫通してキャビティ内へ延びる電気導体であって、導体が容器蓋から電気的に絶縁される、電気導体とを備える。
【００２５】
幾つかの実施形態において、（ａ）導体開口は、容器蓋を貫通して延びる複数の導体開口のうちの１つであり、（ｂ）フランジは、それぞれが導体開口を覆って容器蓋から電気的に絶縁される複数の導電フランジのうちの１つであり、および／または、（ｃ）導体は、それぞれがフランジに接続されるとともに、それぞれが導体開口を貫通して延びて容器蓋から電気的に絶縁される複数の電気導体のうちの１つである。幾つかの実施形態において、ハウジングは、キャビティ内にあって導体に接続される電流コレクタを更に備える。幾つかの実施形態において、ハウジングは、フランジと容器蓋との間に配置されてフランジと容器蓋とを電気的に絶縁するガスケットを更に備える。幾つかの実施形態では、ガスケットが誘電体材料を備える。幾つかの実施形態では、容器蓋が容器に対して固定して及び／または強固に接続され、また、フランジが容器蓋に取り外し可能に接続される。幾つかの実施形態では、容器蓋がベースに接続される装着リングを含み、導体開口が装着リングを貫通して延び、フランジは、複数の締結具を用いて装着リングに取り外し可能に接続される。幾つかの実施形態では、装着リングと係合する締結具の部分が装着リングから電気的に絶縁される。幾つかの実施形態では、締結具が誘電体材料によってフランジから電気的に絶縁される。幾つかの実施形態において、ハウジングは、容器の内側側壁面に取り付けられる絶縁シースを更に備える。幾つかの実施形態では、容器が円形断面形状および矩形断面形状のうちの一方を有する。幾つかの実施形態では、キャビティ開口がキャビティ開口直径を有し、導体開口は、キャビティ開口直径よりも約２倍小さい導体開口直径を有する。幾つかの実施形態では、容器蓋アセンブリがキャビティを密閉シールする。
【００２６】
他の態様において、電気化学バッテリーは、（ａ）キャビティを含む容器であって、キャビティがキャビティ開口から容器内へ延びる、容器と、（ｂ）キャビティ内に配置される電気化学バッテリーセルと、（ｃ）キャビティ内のバッテリーセルをシールする容器蓋アセンブリであって、蓋アセンブリが導電容器蓋と導電フランジとを含み、容器蓋が、キャビティ開口を覆うとともに、容器蓋を貫通して延びる導体開口を含み、フランジが、導体開口を覆うとともに、容器蓋から電気的に絶縁される、容器蓋アセンブリと、（ｄ）導体開口を貫通して延びるとともにバッテリーセルとフランジとに電気的に結合される電気導体であって、導体が容器蓋から電気的に絶縁される、電気導体とを備える。幾つかの実施形態において、バッテリーセルは、マイナス液体金属電極とプラス液体半金属電極との間に配置される液体電解質を備える。幾つかの実施形態において、バッテリーは、マイナス液体金属電極に電気的に結合される電流コレクタを更に備え、電流コレクタは、アセンブリの上側フランジに接続されてセル蓋から電気的に絶縁される導体に接続される。
【００２７】
幾つかの実施形態において、（ａ）導体開口は、容器蓋を貫通して延びる複数の導体開口のうちの１つであり、（ｂ）フランジは、それぞれが導体開口を覆って容器蓋から電気的に絶縁される複数の導電フランジのうちの１つであり、および／または、（ｃ）導体は、それぞれがバッテリーセルおよびフランジに電気的に結合されるとともに、それぞれが導体開口を貫通して延びて容器蓋から電気的に絶縁される複数の電気導体のうちの１つである。幾つかの実施形態において、バッテリーは、フランジと容器蓋との間に配置されてフランジと容器蓋とを電気的に絶縁するガスケットを更に備える。幾つかの実施形態では、ガスケットが誘電体材料を備える。幾つかの実施形態において、容器蓋は、容器に対して固定して及び／または強固に接続されるベースに接続される装着リングを含み、導体開口が装着リングを貫通して延び、フランジは、複数のボルトまたは締結具を用いて装着リングに取り外し可能に接続される。幾つかの実施形態において、容器蓋アセンブリは、前記キャビティ内の前記バッテリーセルを密閉シールまたは非密閉シールする。
【００２８】
他の態様において、電気化学セルは、導電ハウジングと、電流コレクタと電気的に通じる導体とを備え、導体は、ハウジングの開口を通じてハウジングから突出するとともに、電気化学セルを密閉シールするシールを用いてハウジングから電気的に絶縁される。幾つかの実施形態では、金属基板上にセラミックを蝋付けすることによってシールが形成される。幾つかの実施形態では、機械的におよび／または化学的に結合されたガラスまたはガラスーセラミック複合体によってシールが形成される。幾つかの実施形態において、シールは、異なる材料の間に形成される。幾つかの実施形態において、シールは、電気化学セルの動作温度で圧縮下にある。幾つかの実施形態では、シールが少なくとも２つの平面内で２つの表面間に形成される。幾つかの実施形態では、シールが少なくとも２つの異なる材料から形成され、これらの材料のうちの少なくとも１つは、電気化学セル内に収容される材料との接触による減成に対して耐性がある。
【００２９】
他の態様において、電気化学セルをシールするための方法は、（ａ）ハウジングと該ハウジング内に埋め込まれる物品との間にシーラント材料を加えるステップであって、シーラントは、シーラント材料が可鍛性を有し、粘性を有し、または、流動性を有する温度で加えられ、ハウジングおよび物品が異なる熱膨張係数を有する、ステップと、（ｂ）シーラント材料が可鍛性を有さない、粘性を有さない、または、流動性を有さない温度まで温度を下げ、それにより、圧縮力下にあるシールをハウジングと物品との間に形成するステップとを備える。幾つかの実施形態では、シーラント材料がホウケイ酸ガラスである。幾つかの実施形態では、ハウジングが物品よりも大きい熱膨張係数を有する。幾つかの実施形態において、シールは、ナトリウム（Ｎａ）、リチウム（Ｌｉ）、または、マグネシウム（Ｍｇ）などの反応性金属蒸気に対して耐性がある。幾つかの実施形態では、シーラント材料がカルコゲニド系化合物である。幾つかの実施形態では、カルコゲニドが化学式ＣａＡｌ２Ｓ４を有する。
【００３０】
他の態様において、電気化学セルは、第１の電流コレクタとしての導電ハウジングと、第２の電流コレクタと電気的に通じる導体とを備え、導体は、ハウジングの開口を通じてハウジングから突出するとともに、ハウジングから電気的に絶縁される。幾つかの実施形態において、電気化学セルは、第１の電流コレクタまたは第２の電流コレクタに隣接する液体金属アノードを備える。
【００３１】
幾つかの実施形態では、液体金属がリチウムを備える。
【００３２】
他の態様では、バッテリーが本明細書中に記載される１つ以上の電気化学セルを備え、バッテリーは少なくとも２５Ｗｈのエネルギーを蓄えることができる。幾つかの実施形態において、バッテリーは少なくとも１００ｋＷｈのエネルギーを蓄えることができる。
【００３３】
本開示の更なる態様および利点は、本開示の単なる例示的な実施形態が示されて記載される以下の詳細な説明から、この技術分野における当業者に容易に明らかとなる。言うまでもなく、本開示は他の異なる実施形態が可能であり、本開示から逸脱することなくその幾つかの細部を様々な自明の観点で変更できる。したがって、図面および説明は、本質的に例示と見なされるべきであり、限定と見なされるべきではない。
【００３４】
この明細書中で言及される全ての刊行物、特許、および、特許出願は、あたかもそれぞれの個々の刊行物、特許、または、特許出願が参照により組み入れられるように具体的に且つ個々に示唆されたかのように同じ程度まで参照により本願に組み入れられる。
【００３５】
本発明の新規な特徴は、添付の特許請求の範囲に詳しく記載される。本発明の特徴および利点のより良い理解は、本発明の原理が利用される例示的な実施形態を記載する以下の詳細な説明と添付図面（本明細書中では「図（Ｆｉｇｕｒｅ）」または「図（ＦＩＧ．）」とも称する）とを参照することにより得られる。
【図面の簡単な説明】
【００３６】
【図１】電気化学セル（Ａ）および電気化学セルの編成（すなわち、バッテリー）（ＢおよびＣ）の例図である。
【図２】電流コレクタと電気的に通じる導体がハウジングの開口を貫通するバッテリーハウジングの概略断面図である。
【図３】電気化学セルの概略断面図である。
【図４】セル蓋アセンブリの一実施形態の概略断面図である。
【図５】誘電体シール構成要素を用いてハウジングから電気的に絶縁されるフィードスルーを有する電気化学セルの概略断面図である。
【図６Ａ】電流コレクタを共有蓋アセンブリへと組み合わせることができるとともに本発明を任意のサイズのセルと共に使用できることを示す。
【図６Ｂ】電流コレクタを共有蓋アセンブリへと組み合わせることができるとともに本発明を任意のサイズのセルと共に使用できることを示す。
【図７】電気化学バッテリーの一実施形態の概略断面図である。
【図８】図７に示されるバッテリーのための容器蓋の第１の端部の概略斜視図である。
【図９】図７に示されるバッテリーのための容器蓋の第２の端部の概略斜視図である。
【図１０】図７に示されるバッテリーのためのフランジの第１の端部の概略斜視図である。
【図１１】図７に示されるバッテリーのためのフランジの第２の端部の概略斜視図である。
【図１２】図７に示されるバッテリーのための容器蓋アセンブリの概略分解斜視図である。
【図１３】代わりの実施形態の電気化学バッテリーハウジングの概略部分分解斜視図である。
【図１４】図１３に示されるバッテリーハウジングの概略断面図である。
【図１５】複数の代わりの実施形態の電気化学バッテリーハウジングを含むことができる電気化学バッテリー積層体の概略断面図である。
【図１６】図１５に示されるバッテリー積層体の概略上面図である。
【図１７Ａ】一方のセルの導電フィードスルーが他方のセルのベースに接続される概略図である。
【図１７Ｂ】一方のセルの導電フィードスルーが他方のセルのベースに接続される概略図である。
【図１８】電気化学セルのシールの断面図である。
【図１９】シールされた電気化学セルの分解図である。
【図２０】電気化学セルのシールの構成要素の平面図である。
【図２１】埋め込まれた導電フィードスルーを有する電気化学セルのシールの断面図である。
【図２２】埋め込まれた導電フィードスルーを有する電気化学セルのシールの分解図である。
【図２３】埋め込まれた導電フィードスルーを有する電気化学セルのシールの構成要素の平面図である。
【発明を実施するための形態】
【００３７】
本発明の様々な実施形態が本明細書中に示されて説明されるが、当業者であれば分かるように、そのような実施形態は単なる一例として与えられる。本発明から逸脱することなく、多数の変形、変更、および、置換を当業者が想起できる。言うまでもなく、本明細書中に記載される発明の実施形態の様々な代案が使用されてもよい。
【００３８】
この開示は、電気化学エネルギー蓄積デバイス（またはバッテリー）および電気化学バッテリーハウジングを提供する。電気化学バッテリーは、電気化学バッテリーハウジング内にシールされた（例えば密閉シールされた）電気化学バッテリーセルを含むことができる。
【００３９】
電気化学セルおよびハウジング
本明細書中で使用される用語「セル」とは一般に電気化学セルのことである。セルは、Ａ｜｜Ｂとして示される、材料「Ａ」のマイナス電極および材料「Ｂ」のプラス電極を含むことができる。プラス電極およびマイナス電極は電解質によって分離され得る。
【００４０】
本明細書中で使用される用語「モジュール」とは、一般に、例えば１つのセルのセルハウジングを隣り合うセルのセルハウジングと機械的に接続することによって互いに並列に取り付けられるセル（例えば、略水平なパッキング面内で互いに接続されるセル）のことである。モジュールは並列な複数のセルを含むことができる。モジュールは任意の数（例えば、２，３，４，５，６，７，８，９，１０，１１，１２，１３，１４，１５，１６，１７，１８，１９，２０またはそれ以上）のセルを備えることができる。ある場合には、モジュールが９，１２または１６個のセルを備える。ある場合には、モジュールは、約７００ワット時のエネルギーを蓄えることができる、および／または、約１７５ワットの電力を供給することができる。
【００４１】
本明細書中で使用される用語「パック」とは、一般に、異なる電気的接続によって（例えば垂直に）取り付けられるモジュールのことである。パックは任意の数（例えば、１，２，３，４，５，６，７，８，９，１０，１１，１２，１３，１４，１５，１６，１７，１８，１９，２０またはそれ以上）のモジュールを備えることができる。ある場合には、パックが３つのモジュールを備える。ある場合には、パックは、約２キロワット時のエネルギーを蓄えることができる、および／または、約０．５キロワットの電力を供給することができる。
【００４２】
本明細書中で使用される用語「コア」とは、一般に、異なる電気的接続によって（例えば、直列および／または並列に）取り付けられる複数のモジュールまたはパックのことである。コアは任意の数（例えば、１，２，３，４，５，６，７，８，９，１０，１１，１２，１３，１４，１５，１６，１７，１８，１９，２０またはそれ以上）のモジュールまたはパックを備えることができる。ある場合には、コアは、該コアが電気エネルギーを制御された態様で効率的に蓄えて戻すことができるようにする機械システム、電気システム、および、熱システムも備える。ある場合には、コアが１２個のパックを備える。ある場合には、コアは、約２５キロワット時のエネルギーを蓄えることができる、および／または、約６．２５キロワットの電力を供給することができる。
【００４３】
本明細書中で使用される用語「ポッド」とは、一般に、異なる電気的接続（例えば、直列および／または並列）によって取り付けられる複数のコアのことである。ポッドは任意の数（例えば、１，２，３，４，５，６，７，８，９，１０，１１，１２，１３，１４，１５，１６，１７，１８，１９，２０またはそれ以上）のコアを備えることができる。ある場合には、ポッドは、適切なバイパス電子回路と並列に接続されるコアを含み、したがって、他のコアがエネルギーを蓄積して戻し続けることができるようにしつつ、コアを切断できるようにする。ある場合には、ポッドが４つのコアを備える。ある場合には、ポッドは、約１００キロワット時のエネルギーを蓄えることができる、および／または、約２５キロワットの電力を供給することができる。
【００４４】
本明細書中で使用される用語「システム」とは、一般に、異なる電気的接続によって（例えば、直列および／または並列に）取り付けられる複数のコアまたはポッドのことである。システムは任意の数（例えば、２，３，４，５，６，７，８，９，１０，１１，１２，１３，１４，１５，１６，１７，１８，１９，２０またはそれ以上）のコアまたはポッドを備えることができる。ある場合には、システムが２０個のポッドを備える。ある場合には、システムは、約２メガワット時のエネルギーを蓄えることができる、および／または、約５００キロワットの電力を供給することができる。
【００４５】
本明細書中で使用される用語「バッテリー」とは、一般に、直列および／または並列に接続される１つ以上の電気化学セルのことである。バッテリーは、任意の数の電気化学セル、モジュール、パック、コア、ポッド、または、システムを備えることができる。
【００４６】
本開示の電気化学セルは、アノード、アノードに隣接する電解質、および、電解質に隣接するカソードを含んでもよい。幾つかの例では、電気化学セルが液体金属バッテリーセルである。液体金属バッテリーセルは、マイナス液体（例えば溶融）金属電極とプラス液体半金属電極との間に配置される液体電解質セパレータを含んでもよい。幾つかの実施形態において、液体金属バッテリーセルは、溶融アルカリ金属（例えば、リチウム）アノード、電解質、および、溶融金属（例えば、鉛、鉛−アンチモン合金）カソードを有する。
【００４７】
電極を液体状態に維持するために、バッテリーセルが任意の適した温度まで加熱されてもよい。幾つかの実施形態において、バッテリーセルは、約２００℃、約２５０℃、約３００℃、約３５０℃、約４００℃、約４５０℃、約５００℃、約５５０℃、約６００℃、約６５０℃、または、約７００℃の温度まで加熱される。バッテリーセルは、少なくとも約２００℃、少なくとも約２５０℃、少なくとも約３００℃、少なくとも約３５０℃、少なくとも約４００℃、少なくとも約４５０℃、少なくとも約５００℃、少なくとも約５５０℃、少なくとも約６００℃、少なくとも約６５０℃、または、少なくとも約７００℃の温度まで加熱されてもよい。幾つかの状況において、バッテリーセルは、２００℃〜約５００℃、２００℃〜約７００℃、または、３００℃〜４５０℃まで加熱される。
【００４８】
本開示の電気化学セルは、充電（または、エネルギー蓄積）モードと放電（または、エネルギー消耗）モードとの間で循環するようになっていてもよい。幾つかの例では、電気化学セルを完全に充電することができる、部分的に放電することができ、または、完全に放電することができる。
【００４９】
幾つかの実施では、充電モード中に、外部電源（例えば、発電機または配電網）から受けられる電流により、半金属カソード中の金属原子は、１つ以上の電子を放出し、それにより、プラスに帯電されたイオン（すなわち、陽イオン）として電解質中へ溶解してもよい。同時に、同じ種の陽イオンは、電解質を通じて移動することができ、また、アノードで電子を受け取ることができ、それにより、陽イオンが中性の金属種へと転移して、電極の質量が増大する。カソードからの活性金属種の除去およびアノードへの活性金属の付加により、電気的なポテンシャルエネルギーを蓄える。エネルギー放出モード中、電気的負荷が電極に結合される。アノードにおける既に付加された金属種は、金属電極から（例えば、溶融によって）解放されて、イオンとして電解質を通過する。電解質中のこれらのイオンはカソードと共に合金になり、この場合、イオンの流れは、外部回路／負荷を通じた外部の整合する電子の流れを伴う。この電気化学的に促進される金属合金化反応は、既に蓄えられた電気的なポテンシャルエネルギーを電気的負荷へ放出する。
【００５０】
充電状態では、アノードがアノード材料を含むことができるとともに、カソードがカソード材料を含むことができる。放電中（例えば、バッテリーが負荷に結合されるとき）、アノード材料は、アノード材料の陽イオンおよび１つ以上の電子をもたらす。陽イオンは、電解質を通じてカソード材料へと移動し、カソード材料と反応して金属または金属合金を形成する。充電中、合金は、解離してアノード材料の陽イオンをもたらし、この陽イオンはアノードへと移動する。
【００５１】
本開示の電気化学セルは、様々な用途および動作に適し得るハウジングを含むことができる。バッテリーハウジングは、外部電源および電気的負荷に接続されるスイッチに対して電極を電気的に結合するように構成され得る。バッテリーセルハウジングは、例えば、スイッチおよび／または他のセルハウジングの第１の極に電気的に結合される導電容器と、スイッチおよび／または他のセルハウジングの第２の極に電気的に結合される導電容器蓋とを含んでもよい。容器がバッテリーセルの電極であってもよい。バッテリーセルは、バッテリー容器のキャビティ内に配置され得る。電極のうちの一方は、バッテリー容器の端壁と接触するおよび／または該端壁と電気的に通じる。セラミックシースがバッテリーセルの残りの部分をバッテリー容器の他の部分から電気的に絶縁してもよい。導体が電極のうちの第２の電極を容器蓋に電気的に結合し、容器蓋は、バッテリーセルをキャビティ内に（例えば、密閉または非密閉）シールすることができる。
【００５２】
バッテリーおよびハウジング
ここで使用されるバッテリーは複数の電気化学セルを備えることができる。図１を参照すると、電気化学セル（Ａ）は、アノードとカソードとを備えるユニットである。セルは、電解質を備えてもよく、また、本明細書中に記載されるようなハウジング内にシールされてもよい。ある場合には、バッテリーを形成するために電気化学セルを積み重ねることができる（Ｂ）（すなわち、電気化学セルの編成）。セルは、並列に、直列に、あるいは、並列および直列の両方を成して配置され得る（Ｃ）。セルは、描かれるものと異なってもよい様々な形状および幾何学的形態に形成され得る。
【００５３】
本開示の電気化学セルは、適切に多い量のエネルギーを蓄える（および／または取り入れる）ことができてもよい。ある場合には、セルは、約１Ｗｈ、約５Ｗｈ、約２５Ｗｈ、約５０Ｗｈ、約１００Ｗｈ、約５００Ｗｈ、約１ｋＷｈ、約１．５ｋＷｈ、約２ｋＷｈ、約３ｋＷｈ、または、約５ｋＷｈを蓄える（および／または取り入れる）ことができる。ある場合には、バッテリーは、少なくとも約１Ｗｈ、少なくとも約５Ｗｈ、少なくとも約２５Ｗｈ、少なくとも約５０Ｗｈ、少なくとも約１００Ｗｈ、少なくとも約５００Ｗｈ、少なくとも約１ｋＷｈ、少なくとも約１．５ｋＷｈ、少なくとも約２ｋＷｈ、少なくとも約３ｋＷｈ、または、少なくとも約５ｋＷｈを蓄える（および／または取り入れる）ことができる。電気化学セルおよび／またはバッテリーに蓄えられるエネルギーの量が（例えば、効率の悪さおよび損失に起因して）電気化学セルおよび／またはバッテリーに取り込まれるエネルギーの量より少ない場合があることが分かる。
【００５４】
セルの編成（すなわちバッテリー）は、少なくとも約２個、少なくとも約５個、少なくとも約１０個、少なくとも約５０個、少なくとも約１００個、少なくとも約５００個、少なくとも約１０００個、少なくとも約５０００個、少なくとも約１００００個などの任意の適した数のセルを含むことができる。幾つかの例において、バッテリーは、１，２，３，４，５，６，７，８，９，１０，１５，２０，３０，４０，５０，６０，７０，８０，９０，１００，２００，３００，４００，５００，６００，７００，８００，９００，１０００，２０００，５０００，１０，０００，２０，０００，５０，０００，１００，０００，５００，０００、または、１，０００，０００個のセルを含む。
【００５５】
本開示のバッテリーは、電力網（すなわち、配電網スケールのバッテリー）または他の負荷または用途と共に用いるのに適した多量のエネルギーを蓄えることができてもよい。ある場合には、バッテリーは、約５ｋＷｈ、約２５ｋＷｈ、約５０ｋＷｈ、約１００ｋＷｈ、約５００ｋＷｈ、約１ＭＷｈ、約１．５ＭＷｈ、約２ＭＷｈ、約３ＭＷｈ、または、約５ＭＷｈを蓄える（および／または取り入れる）ことができる。ある場合には、バッテリーは、少なくとも約５ｋＷｈ、少なくとも約２５ｋＷｈ、少なくとも約５０ｋＷｈ、少なくとも約１００ｋＷｈ、少なくとも約５００ｋＷｈ、少なくとも約１ＭＷｈ、少なくとも約１．５ＭＷｈ、少なくとも約２ＭＷｈ、少なくとも約３ＭＷｈ、または、少なくとも約５ＭＷｈを蓄える（および／または取り入れる）ことができる。
【００５６】
ある場合には、セルおよびセルハウジングを積み重ねることができる。任意の適した数のセルを積み重ねることができる。セルは、並んで、互いの上に、または、これらの両方で積み重ねることができる。ある場合には、少なくとも約１０，５０，１００、または、５００個のセルを積み重ねることができる。ある場合には、１００個のセルの積層体は、少なくとも５０ｋＷｈのエネルギーを蓄えることができる。セル（例えば、１０個のセル）の第１の積層体をセル（例えば、他の１０個のセル）の第２の積層体に電気的に接続して、電気的に通じるセルの数（例えば、この場合には２０個）を増やすことができる。ある場合には、エネルギー蓄積デバイスは、１〜１０個、１１〜５０個、５１〜１００個またはそれ以上の電気化学セルの積層体を備える。
【００５７】
セル蓋アセンブリ
電気化学セルは、容器蓋を含むことができる容器内に収容され得る。ある場合には、容器が電気化学セルの電極である。容器蓋は、例えば、バッテリー容器を容器蓋から電気的に絶縁するためにシールまたはガスケット（例えば、環状誘電体ガスケット）を利用してもよい。そのようなガスケットは、例えばガラス、シリコン酸化物、酸化アルミニウム、窒化ホウ素、窒化アルミニウム、または、酸化リチウム、酸化カルシウム、酸化バリウム、酸化イットリウム、酸化ケイ素を含む他の酸化物、窒化リチウム、あるいは、他のセラミックなどの比較的硬い電気絶縁材料から構成されてもよい。ガスケットは、電気的絶縁に加えてシールを行なうために、容器蓋とバッテリー容器との間で比較的高い圧縮力（例えば、１０，０００ｐｓｉよりも大きい）に晒されてもよい。誘電体ガスケットをそのような高い圧縮力に晒すために、複数の締結具が、比較的大きな直径を有してもよく、互いに接近して離間されてもよい。そのような大径締結具は、高価な場合があり、したがって、比較的大径のバッテリー容器を形成するためのコストをかなり増大させる場合がある。また、大径バッテリー容器に対応するために誘電体ガスケットの直径が増大されるため、ガスケットがますます脆弱となって、ガスケットの取り扱いが難しくなり得る。
【００５８】
図２を参照すると、バッテリーは、導電ハウジング２０１と、電流コレクタ２０３と電気的に通じる導体２０２とを備える。導体は、ハウジングから電気的に絶縁されてもよく、また、第１および第２のセルが積み重ねられるときに第１のセルの導体が第２のセルのハウジングと接触するようにハウジングの開口を通じてハウジングから突出してもよい。
【００５９】
一態様において、セルハウジングは、導電容器と、電流コレクタと電気的に通じる導体とを備える。導体は、容器の開口を通じてハウジングから突出してもよく、また、容器から電気的に絶縁される。第１のハウジングの導体は、第１および第２のハウジングが積み重ねられるときに第２のハウジングの容器と接触してもよい。
【００６０】
ある場合には、導体がハウジングおよび／または容器から突出する開口の面積は、ハウジングおよび／または容器の面積に対して小さい。ある場合には、ハウジングの面積に対する開口の面積の比率は、約０．００１、約０．００５、約０．０１、約０．０５、約０．１、約０．１５、約０．２、約０．３、約０．４、または、約０．５である。ある場合には、ハウジングの面積に対する開口の面積の比率は、０．００１未満、０．００５未満、０．０１未満、０．０５未満、０．１未満、０．１５未満、０．２未満、０．３未満、０．４未満、または、０．５未満である。
【００６１】
一態様において、セルは、導電ハウジングと、電流コレクタと電気的に通じる導体とを備える。導体は、ハウジングの開口を通じてハウジングから突出し、また、ハウジングから電気的に絶縁されてもよい。ハウジングの面積に対する開口の面積の比率は約０．１未満であってもよい。
【００６２】
一態様において、セルハウジングは、導電容器と、電流コレクタと電気的に通じる導体とを備える。導体は、容器の開口を通じて容器から突出し、また、容器から電気的に絶縁される。容器の面積に対する開口の面積の比率は約０．１未満であってもよい。ハウジングは、少なくとも２５Ｗｈのエネルギーを蓄えるおよび／または取り入れることができるセルを収容することができる。
【００６３】
ある場合には、導体は、ガスケットまたはシールを用いてハウジングから電気的に絶縁される。図３は、容器３０５に溶接され得るセル蓋アセンブリ３０１を示す。少なくとも１つの導電フィードスルー（すなわち導体）が蓋アセンブリを貫通して液体アノード３０２と電気的に通じる。幾つかの実施形態では、電流コレクタが導電発泡体であり、その場合、アノードが液体金属（例えば、リチウム、マグネシウム、ナトリウム）を備える。アノードが溶融塩電解質３０４と接触し、溶融塩電解質３０４が液体金属カソード３０３と接触する。幾つかの実施形態では、液体金属カソードが鉛およびアンチモンを備える。
【００６４】
図４は、導体４０１、ハウジング開口、および、導体をハウジング４０２から電気的に絶縁するとともに電気化学セルをシールするための関連する構造体を示す。幾つかの実施形態では、少なくとも１つのボルト４０３がアセンブリを所定位置に保持する。ボルトは、ハウジングと電気的に通じることができるとともに、導電フィードスルーから電気的に絶縁される。幾つかの実施形態では、ボルトが上側フランジ４０４を下側フランジ４０５と押し付ける。ある場合には、下側フランジがセル蓋に溶接される。電気絶縁ワッシャまたはワッシャアセンブリ４０６がボルトを上側フランジから絶縁できる。ある場合には、誘電体ガスケット４０７が上側フランジを下側フランジから絶縁する。ある場合には、ボルトが上側フランジと接触しないように誘電体シース（図示せず）を使用することができる。ある場合には、フィードスルー導体がマイナス極性を有し（例えば、アノードと電気的に通じ）、また、ボルトおよびハウジングがプラス極性を有する（例えば、カソードと電気的に通じる）。
【００６５】
シールされると、ガスケットに印加される力は、約１，０００ｐｓｉ、約２，０００ｐｓｉ、約５，０００ｐｓｉ、約１０，０００ｐｓｉ、約１５，０００ｐｓｉ、または、約３０，０００ｐｓｉとなり得る。ある場合には、ガスケットに印加される力は、少なくとも１，０００ｐｓｉ、少なくとも２，０００ｐｓｉ、少なくとも５，０００ｐｓｉ、少なくとも１０，０００ｐｓｉ、少なくとも１５，０００ｐｓｉ、または、少なくとも３０，０００ｐｓｉとなり得る。
【００６６】
ある場合には、セルは、導電ハウジングと、電流コレクタと電気的に通じる導体とを備える。導体は、ハウジングの開口を通じてハウジングから突出することができるとともに、ガスケットを用いてハウジングから絶縁される。ガスケットに作用する力は、少なくとも１，０００ｐｓｉ、少なくとも５．０００ｐｓｉ、少なくとも１０，０００ｐｓｉ等であってもよい。
【００６７】
セルハウジングは、導電容器と、電流コレクタと電気的に通じる導体とを備えることができる。導体は、容器の開口を通じて容器から突出してもよく、また、ガスケットを用いて容器から絶縁されてもよい。ガスケットに作用する力は、少なくとも１，０００ｐｓｉ、少なくとも５，０００ｐｓｉ、少なくとも１０，０００ｐｓｉ等であってもよい。
【００６８】
少ないボルトおよび締結具
ボルトおよび締結具は、バッテリーおよびハウジングのコストを大幅に増大させ得る。ある場合には、バッテリーまたはバッテリーハウジングが数少ないボルトまたは締結具を備える。幾つかの実施形態において、バッテリーまたはバッテリーハウジングは、約５０個、約４０個、約３０個、約２０個、約１０個、約５個、または、約２個のボルトまたは締結具を備える。バッテリーまたはバッテリーハウジングがボルトまたは締結具を備えなくてもよい。幾つかの実施形態において、バッテリーまたはバッテリーハウジングは、５０個未満、４０個未満、３０個未満、２０個未満、１０個未満、５個未満、または、２個未満のボルトまたは締結具を備える。他の実施形態では、誘電体シール材料がセル蓋およびフィードスルーリードの表面に機械的および／または化学的に付着され、それにより、ボルトまたは締結具をセルに必要とすることなくシステムが密閉気密シールを得ることができるようにしてもよい。例えばセルの積み重ねによってあるいはセルの上端に錘を加えることによって、圧力がフィードスルーの上端に印加され、それにより、シールの性能および耐久性が向上されてもよい。
【００６９】
バッテリーは、アノード、カソード、電解質、プラス電流コレクタ、および、マイナス電流コレクタを備えることができる。マイナス電流コレクタがアノードと接触することができ、また、プラス電流コレクタがカソードと接触する。バッテリーは、少なくとも２５Ｗｈのエネルギーを蓄えるおよび／または取り入れることができるとともに、１０個未満のボルトまたは締結具を備える。
【００７０】
ある場合には、セルの編成は、少なくとも２５Ｗｈ、２００Ｗｈ、３００Ｗｈ、４００Ｗｈ、５００Ｗｈ、６００Ｗｈ、７００Ｗｈ、８００Ｗｈ、９００Ｗｈ、１，０００Ｗｈ、２，０００Ｗｈ、３，０００Ｗｈ、４，０００Ｗｈ、５，０００Ｗｈ、６，０００Ｗｈ、７，０００Ｗｈ、８，０００Ｗｈ、９，０００Ｗｈ、１０，０００Ｗｈ、２０，０００Ｗｈ、３０，０００Ｗｈ、４０，０００Ｗｈ、または、５０，０００Ｗｈのエネルギーを蓄えることができ、また、それぞれのセルは、２０，１５，１４，１３，１２，１１，１０，９，８，７，６，５，４，３，２または１個未満のボルトまたは締結具を備える。幾つかの例では、セル構成要素を互いに溶接することができる。
【００７１】
セルハウジングは、少なくとも２５Ｗｈのエネルギーを蓄えるおよび／または取り入れることができるセルを密閉シールすることができる。ハウジングは、２０，１５，１４，１３，１２，１１，１０，９，８，７，６，５，４，３，２または１個未満のボルトまたは締結具を備える。
【００７２】
セル蓋アセンブリは、フランジおよびガスケットの代わりに接着シールを使用できる。ある場合には、接着シールが電気化学セルハウジングからボルトを排除する。図５に見られるように、導電フィードスルー５０１がハウジングから電気的に絶縁され、また、ハウジングは、フィードスルーとハウジングとの間に配置される接着シール材料５０２によってシールされる。
【００７３】
ある場合には、ボルトを使用しない接着誘電体シールを用いてシールされるセルにおいて、気密シールを維持するために必要とされる圧力は１ｐｓｉ未満で足り得る。ある場合には、バッテリー内で互いに積み重ねられる１つ以上の電気化学セルの重量によって圧力の少なくとも一部を与えることができる。接着シール材料は、ガラスシールまたは蝋付けされたセラミック、例えばＣｕ−Ａｇ蝋付け合金を伴うアルミナ、あるいは、他のセラミック−蝋付け組み合わせを備えることができる。
【００７４】
ボルトおよびフランジではなく接着材料を用いて電気化学セルをシールすると、蓋アセンブリがハウジングよりも上側に延びることができる高さ（「ヘッドスペース」）を減らすことができる。積層バッテリー形態では、バッテリーの比較的大きな容積がアノード材料およびカソード材料を構成できる（すなわち、より高いエネルギー蓄積能力）ようにヘッドスペースを減らすことが望ましい場合がある。ある場合には、ヘッドスペースの幅（フィードスルーの上端からアノードの上端面まで測定される）は、バッテリーの幅（フィードスルーの上端からハウジングの下端面まで測定される）のごく一部である。幾つかの実施形態において、ヘッドスペースは、バッテリーの高さの約５％、約１０％、約１５％、約２０％、または、約２５％である。幾つかの実施形態において、ヘッドスペースは、バッテリーの高さの最大で約５％、最大で約１０％、最大で約１５％、最大で約２０％、または、最大で約２５％である。
【００７５】
幾つかの実施形態において、アノードとカソードとの組み合わせ容積は、バッテリーの容積（例えば、運送用コンテナなどのバッテリーの最も外側のハウジングによって規定される）の約５０％、約６０％、約７０％、約８０％、約９０％、または、約９５％である。幾つかの実施形態において、アノードとカソードとの組み合わせ容積は、バッテリーの容積の少なくとも約５０％、少なくとも約６０％、少なくとも約７０％、少なくとも約８０％、少なくとも約９０％、または、少なくとも約９５％である。
【００７６】
ある状況では、少ない数のあるいはたった１つの導電フィードスルーの使用が不均一な電流分布を電極にもたらす可能性がある。本明細書中に記載されるように、複数の導電フィードスルーが電極で電流をより均一に分布させることができる。
【００７７】
一態様において、電気化学エネルギー蓄積デバイスは、ハウジングと、液体金属電極と、液体金属電極と接触する電流コレクタと、電流コレクタと電気的に通じるとともにハウジングの開口を通じてハウジングから突出する複数の導体とを備える。幾つかの実施形態では、電流が液体金属電極にわたって略均一に分布される。
【００７８】
幾つかの実施形態では、液体金属電極が表面（および／または界面）に沿って電解質と接触し、また、表面（および／または界面）にわたって流れる電流が均一である。表面（および／または界面）の任意の部分を通じて流れる電流は、平均電流から大きく逸脱しない。幾つかの実施形態において、表面（および／または界面）の領域にわたって流れる電流の最大密度は、表面（および／または界面）にわたって流れる電流の平均密度の約１０５％未満、約１１５％未満、約１２５％未満、約１５０％未満、約１７５％未満、約２００％未満、約２５０％未満、または、約３００％未満である。幾つかの実施形態において、表面（および／または界面）の領域にわたって流れる電流の最小密度は、表面（および／または界面）にわたって流れる電流の平均密度の約５０％を超える、約６０％を超える、約７０％を超える、約８０％を超える、約９０％を超える、または、約９５％を超える。
【００７９】
図６は複数の導電フィードスルーを示す。電気化学蓄電デバイスおよび／またはハウジングは、任意の数（例えば、２，３，４，５，６，７，８，９，１０，１１，１２，１３，１４，１５，１６，１７，１８，１９，２０またはそれ以上）の導電フィードスルーを備えることができる。ある場合には、導電フィードスルーが別個のものである（パネルＡ）。ある場合には、導電フィードスルーが共通の上部を共有する（パネルＢ）。
【００８０】
セルの密閉シール
密閉シールされたバッテリーまたはバッテリーハウジングは、不適切な量の空気、酸素、および／または、水がバッテリー内へ入ることを防止してもよい（例えば、バッテリーが少なくとも１年、少なくとも２年、少なくとも５年、少なくとも１０年、または、少なくとも２０年にわたってそのエネルギー蓄積能力の少なくとも８０％を維持するような量）。
【００８１】
ある場合には、バッテリー内への酸素、窒素、および、水蒸気の移動の割合は、バッテリーが１バールの圧力および４００〜７００℃の温度で空気と接触されるときに、約０．２５ｍＬ／時未満である。幾つかの実施形態において、１０年の期間にわたってセル内へ漏れる酸素、窒素、または、水蒸気のモル数は、セル内の活性金属材料のモル数の１０％未満である。
【００８２】
一態様では、バッテリーがアノードとカソードとを備える。バッテリーは、少なくとも１０ｗｈのエネルギーを蓄えることができるとともに、密閉シールまたは非密閉シールされる。アノードおよびカソードの少なくとも一方が液体金属であってもよい。ある場合には、アノードが液体金属（例えば、リチウム、マグネシウム、ナトリウム）である。
【００８３】
一態様では、一群のバッテリーが少なくとも１０Ｗｈのエネルギーを蓄えることができ、また、各バッテリーが密閉シールまたは非密閉シールされる。
【００８４】
一態様において、バッテリーハウジングは、導電容器、容器開口、および、電流コレクタと電気的に通じる導体を備える。導体は、容器開口を貫通してもよく、また、導電容器から電気的に絶縁される。ハウジングは、少なくとも１００ｋＷｈのエネルギーを蓄えることができるバッテリーを密閉シールできてもよい。
【００８５】
電気化学セル、バッテリー、および、バッテリーハウジングの実施形態
図７は、本発明の一実施形態に係る電気化学セル２０を示す。セル２０は、電気化学セルハウジング２４内にシールされる（例えば、密閉シールされる）少なくとも１つの電気化学セル２２を含む。セルハウジング２４は、セル容器２６、容器蓋アセンブリ２８、および、１つ以上の導体３０（例えば、導体ロッド）を含む。セルハウジング２４は、熱的および／または電気的絶縁シース３２、第１の（例えば、マイナス）電流コレクタ３４、および、第２の（例えば、プラス）電流コレクタ３６も含むことができる。
【００８６】
バッテリーセル２２は液体金属バッテリーセルとして構成されてもよい。バッテリーセル２２は、例えば、液体の第１の（例えば、マイナス）電極４０と液体の第２の（例えば、プラス）電極４２との間に軸方向に配置される液体セパレータ３８を含んでもよい。
【００８７】
ある場合には、電気化学バッテリーが図７におけるそれから逸脱する。例えば、上側電極４０が上側電流コレクタ（例えば、発泡体）３４内に収容され得る。この実施形態では、塩層が発泡体３４の底面および側面と接触し、また、発泡体中の上端金属が側壁３２または２６から離れるように保持され、それにより、セルが絶縁シース３２なしで延びることができる。ある場合には、側壁の上方へのカソードの「クリープ」を防止するためにグラファイトシースが使用され、それにより、セルの短絡を防止できる。
【００８８】
セパレータ３８はイオン伝導性液体電解質であってもよい。液体電解質の一例は、例えば、フッ化塩、塩化物塩、臭化物塩、ヨウ化物塩、または、これらの組み合わせなどの１つ以上のイオン伝導性溶融塩の溶液である。第１の電極４０が液体（例えば、溶融）金属であってもよい。第１の電極４０として使用されてもよい材料の例としては、制限なく、ナトリウム（Ｎａ）、カリウム（Ｋ）、リチウム（Ｌｉ）、カルシウム（Ｃａ）、バリウム（Ｂａ）、マグネシウム（Ｍｇ）、または、これらの組み合わせが挙げられる。第１の電極４０の液体金属は、リストに挙げられた例のうちの１つ以上を含んでもよい。第２の電極４２は液体金属または半金属であってもよい。第２の電極４２として使用されてもよい材料の例としては、制限なく、アンチモン（Ｓｂ）、鉛（Ｐｂ）、スズ（Ｓｎ）、ビスマス（Ｂｉ）、テルル（Ｔｅ）、セレン（Ｓｅ）、または、これらの組み合わせが挙げられる。第２の電極４２は、先に挙げられた金属または半金属のうちの１つ以上を含んでもよい。セパレータ、第１の電極、および、第２の電極の材料および／または形態の他の例は、米国特許出願公開第２００８／００４４７２５号、第２０１１／００１４５０３号、第２０１１／００１４５０５号、および、第２０１２／０１０４９９０号に開示されており、これらの出願のそれぞれは、参照することにより全体が本願に組み入れられる。しかしながら、本発明は、任意の特定のバッテリーセル形態および／または材料に限定されない。
【００８９】
バッテリー容器２６は、例えば、鋼、鉄、ステンレス鋼、グラファイト、ニッケル、ニッケル系合金、チタン、アルミニウム、モリブデン、タングステン、または、導電ガラスなどの導電材料から構成され得る。セル容器は、例えばグラファイトライニングを伴うスチール容器または窒化ホウ素コーティングを伴うスチール容器など、構造体構成要素と、別個の金属コーティングまたは電気絶縁コーティングの更に薄いライニング構成要素とを備えてもよい。バッテリー容器２６は、第１の容器端部（例えば、縁）４４と第２の容器端部（例えば、縁）４６との間で軸方向に延びることができる断面形状を有することができる。断面形状は、例えば、図１３に示されるような円形、図１６に示されるような矩形（例えば、正方形）、または、バッテリー２０のための設計要件に基づいて選択されてもよい任意の他の形状であってもよい。バッテリー容器２６は、容器（下）端壁５０と容器側壁５２とによって画定されるセルキャビティ４８を含む。キャビティ４８は、第１の容器端部４４に位置されるキャビティ開口５４から第２の容器端部４６に位置される容器端壁５０までバッテリー容器２６内へと軸方向に延びることができる。また、キャビティ４８は、容器側壁５２の対向する側面間で横方向にも延びることができる。
【００９０】
容器蓋アセンブリ２８は、導電容器蓋５６、１つ以上の導電フランジ５８、および、１つ以上の電気絶縁ガスケット６０（例えば、環状誘電体ガスケット）を含むことができる。
【００９１】
図８および図９を参照すると、容器蓋５６は、例えば、鋼、鉄、銅、ステンレス鋼、グラファイト、ニッケル、ニッケル系合金、チタン、アルミニウム、モリブデン、タングステン、または、導電ガラスなどの導電材料から構成され得る。容器蓋５６は、第１の蓋端部６２と第２の蓋端部６４との間で軸方向に延びることができる。容器蓋５６は、導電ベース６６と、１つ以上の導電装着リング６８（「フィードスルーフランジ」とも称される）とを含むことができる。ベースは、第１の蓋端部６２とベース端部７０との間で軸方向に延びることができ、ベース端部７０は、軸方向で第１の蓋端部６２と第２の蓋端部６４との間に位置される。ベース６６は、第１の蓋端部６２とベース端部７０との間でベース６６を軸方向に貫通して延びることができる１つ以上の装着リング開口７２を含むことができる。装着リング６８はそれぞれ装着リング開口７２と嵌合されてベース６６に接続される（例えば、溶接される、接着される、あるいはさもなければ、締結される）。装着リング６８は、第１の蓋端部６２と第２の蓋端部６４との間で軸方向に延びることができる。装着リング６８のそれぞれは、第１の蓋端部６２と第２の蓋端部６４との間で装着リングを軸方向で貫通して延びることができる第１の導体開口７４を含む。第１の導体開口７４は、キャビティ開口５４（図７参照）の直径よりも例えば少なくとも２（例えば、約２〜６）倍小さい直径を有する。各装着リング６８は、それぞれの第１の導体開口７４の周囲にわたって配置される１つ以上のネジ付き締結具開口７６を含んでもよい。締結具開口７６は、第１の蓋端部６２からそれぞれの装着リング６８内へと軸方向に延びる。
【００９２】
図１０および図１１を参照すると、フランジ５８のそれぞれは、例えば、鋼、鉄、ステンレス鋼、グラファイト、ニッケル、ニッケル系合金、チタン、アルミニウム、モリブデン、タングステン、または、導電ガラスなどの導電材料から構成される。各フランジ５８は、第１のフランジ端部７８と第２のフランジ端部８０との間で軸方向に延びることができる。各フランジ５８は導電ベース８２と導電フランジリング８４とを含んでもよい。ベース８２は、第１のフランジ端部７８と第２のフランジ端部８０との間で軸方向に延びることができる。ベース８２は、第２のフランジ端部８０からベース端壁８８まで軸方向でベース８２内へと延びることができるネジ付き導体開口８６を含む。フランジリング８４はベース８２の周囲にわたって延びることができる。また、フランジリング８４は、第１のフランジリング端部９０と第２のフランジリング端部９２との間で軸方向に延びることができる。第１のフランジリング端部９０は、第１のフランジ端部７８から第１の軸方向距離だけオフセットされてもよく、および／または、第２のフランジリング端部９２は、第２のフランジ端部８０から第２の軸方向距離だけオフセットされてもよい。フランジリング８４は、ベース８２の周囲にわたって配置される複数の締結具開口９４を含んでもよい。締結具開口９４は、第１のフランジリング端部９０と第２のフランジリング端部９２との間でフランジリング８４を軸方向で貫通して延びる。
【００９３】
図７および図１２を参照すると、ガスケット６０は、例えば、ガラス、蝋付けセラミック、サーミキュライト、窒化アルミニウム、マイカ、および／または、バーミキュライトなどの誘電体材料から構成される。各ガスケット６０は、第１のガスケット端部９８と第２のガスケット端部１００との間でガスケットを貫通して軸方向に延びることができる第２の導体開口９６を含む。第２の導体開口９６は、第１の導体開口７４のそれぞれの開口の直径にほぼ等しいあるいは該直径よりも小さい直径を有する。
【００９４】
図７を参照すると、導体３０は、例えば、鋼、鉄、ステンレス鋼、グラファイト、ニッケル、ニッケル系合金、チタン、アルミニウム、モリブデン、または、タングステンなどの導電材料から構成され得る。導体３０は、第１の導体端部１０２と第２の導体端部１０４との間で軸方向に延びる。各導体３０は、第１の導体端部１０２付近にネジ付き端部領域１０６を含んでもよい。
【００９５】
図７を参照すると、シース３２は、例えば、アルミナ、チタニア、シリカ、マグネシア、窒化ホウ素、または、カルシウム酸化物、アルミニウム酸化物、シリコン酸化物、リチウム酸化物、マグネシウム酸化物等を含む混合酸化物などの断熱および／または電気絶縁材料から構成され得る。シース３２は、第１のシース端部（上端）１０８と第２のシース端部（下端）１１０との間で軸方向に延びることができる環状の断面形状を有する。
【００９６】
代案として、シースは、容器の腐食を防止するおよび／または側壁の上方へのカソード材料の湿潤を防止するために使用できるとともに、鋼、ステンレス鋼、タングステン、モリブデン、ニッケル、ニッケル系合金、グラファイト、または、チタンなどの電子伝導性材料から構成されてもよい。シースは、非常に薄くてもよく、また、コーティングであってもよい。コーティングは、壁の内側だけを覆うことができ、および／または、容器の内側の下端を覆うこともできる。
【００９７】
図７および図１２を参照すると、第１の電流コレクタ３４は、例えば、ニッケル−鉄（Ｎｉ−Ｆｅ）発泡体、有孔スチールディスク、波形スチールのシート、エキスパンデッドメタルメッシュのシート等の導電材料から構成される。第１の電流コレクタ３４は、第１のコレクタ端部１１２と第２のコレクタ端部１１４との間で軸方向に延びることができるプレートとして構成されてもよい。第１の電流コレクタ３４は、キャビティ開口５４の直径よりも小さく且つ第１の導体開口７４の直径よりも大きいコレクタ直径を有する。他の電流コレクタ形態の例は、米国特許公開第２０１１／００１４５０３号、第２０１１／００１４５０５号、および、第２０１２／０１０４９９０号に開示されており、これらの特許は、参照することにより全体が本願に組み入れられる。本発明は任意の特定の第１の電流コレクタ形態に限定されない。
【００９８】
第２の電流コレクタ３６はセル容器２６の一部として構成されてもよい。図７に示される実施形態では、例えば、容器端壁５０が第２の電流コレクタ３６として構成される。代案として、電流コレクタは、バッテリー容器とは別個であってもよく、また、例えば、バッテリー容器に電気的に接続される。そのような電流コレクタ配置の例は、前述した米国特許公開第２０１１／００１４５０３号、第２０１１／００１４５０５号、および、第２０１２／０１０４９９０号に開示されており、これらの特許は、参照することにより全体が本願に組み入れられる。本発明は任意の特定の第２の電流コレクタ形態に限定されない。
【００９９】
図１３および図１４は、別の実施形態の電気化学バッテリーハウジング１２０を示す。そのようなケースのシースは、ある場合に、排除できる。図７および図１２のバッテリーハウジング２４とは異なり、バッテリーハウジング１２０の各フランジ５８は、導体３０のうちのそれぞれの１つに直接に接続される（例えば、溶接される、接着される、融着される、付着される、および／または、さもなければ締結される）フランジリング１２２を含む。バッテリーハウジング１２０の各ガスケット６０は、締結具１１６を受ける複数の締結具開口１２４を更に含んでもよい。締結具１１６のそれぞれは、電気絶縁スリーブ１２６と電気絶縁ワッシャ１２８とによってフランジリング１２２から電気的に絶縁されてもよい。スリーブ１２６およびワッシャ１２８はそれぞれ、例えばマイカまたはバーミキュライトなどの誘電体から構成される。また、バッテリーハウジング１２０は、流体（例えば、不活性ガス）をシールされたキャビティ４８内へ及び／またはキャビティ４８から方向付ける１つ以上の流体ポート１３０（例えば、急速接続ガス器具）を含んでもよい。
【０１００】
図１５および図１６は、他の別の実施形態の電気化学バッテリーハウジング１３２を示す。図７および図１２のバッテリーハウジング２４とは異なり、バッテリーハウジング１３２の各フランジ５８は、第１のフランジリング端部９０と第２のフランジ端部８０との間で軸方向に延びることができるベース１３４を含む。各フランジ５８は突出部１３６（例えば、ボス）を含むこともでき、突出部１３６は、ベース１３４および／またはフランジリング８４に接続されるとともに、第１のフランジ端部７８へと軸方向に延びることができる。そのような突出部１３６は、図１５に示されるように、複数のバッテリーハウジング１３２を垂直に積み重ねるおよび／または電気的に相互接続するために利用されてもよい。
【０１０１】
図１７は、本明細書中に記載される電気化学セルおよび／またはバッテリーの部品数を減らす（例えば、単一の予め組み付けられた部品を使用して複数の電気化学セルの組み立てを可能にする）実施形態を示す。ある場合には、第１の電気化学セル１７０１の導体は、第２の電気化学セル１７０２のハウジング（例えば、プラス電流コレクタ）に接続され、および／または、第２の電気化学セル１７０２のハウジングと同じ金属部品から形成される。ある場合には、第１の電気化学セルの上端は、第１の電気化学セルの上方に位置される第２の電気化学セルの下端に直接に接続され（例えば、溶接されあるいはボルト締結され）、または、第２の電気化学セルの下端と同じ金属部品から形成される。セルは、図１７中のパネルＡに示されるように組み付けられ得る。ここに見られるように、ハウジング部分と容器蓋アセンブリ部分１７０４とを備える複数の部品１７０３は、複数の電気化学セルを形成するために互いに上下に組み合わされる（例えば、溶接される）。マイナス電流コレクタ１７０５、プラス電極１７０６、および、電解質１７０７は、セルが部品から組み立てられる際に、電気化学セル内へ挿入され得るおよび／または充填され得る。マイナス電流コレクタ１７０５はマイナス電極を含む（例えば、格納する、収容する）ことができる。例えば、マイナス電流コレクタ１７０５は、該マイナス電流コレクタ１７０５の孔内にマイナス電極の材料（例えば、リチウム）を含む多孔質材料であってもよい。
【０１０２】
電気化学セルは、２つの表面間にシーラント材料を配置することによって密閉シールされおよび／または電気的にシールされ得る。
【０１０３】
一態様において、電気化学セルは、導電ハウジングと、電流コレクタと電気的に通じる導体とを備え、この場合、導体は、ハウジングの開口を通じてハウジングから突出するとともに、電気化学セルを密閉シールするシールを用いてハウジングから電気的に絶縁される。
【０１０４】
図１８を参照すると、シーラント１８００を電気化学セル１８０１のハウジングと他の物品１８０２（例えば、導電フィードスルー）との間に配置するおよび／または置くことができる。図１９は、２つの表面１９００を金属にすることができることを示す。ある場合には、シールおよび／またはシーラント１９０１は、セラミック、ガラス、または、ガラス−セラミック複合体である。図２０は、左側の電気化学セルハウジング２０００、中央のシール２００１、および、右側の物品２００２（例えば、導電フィードスルー）とを伴うアセンブリの各層に関する平面図を示す。
【０１０５】
ある場合には、表面が異なる材料（すなわち、２つの異なる金属表面など、同じでない材料）から形成される。材料は異なる熱膨張係数を有することができる。異なる材料を互いに嵌め込むおよび／または埋め込むことができる（例えば、平坦な表面および縁など、少なくとも２つの平面上で一方の材料が他方の材料を取り囲む）。図２１は、導電フィードスルー２１００が電気化学セル２１０１のハウジング内に嵌め込まれる実施形態を示す。ある場合には、フィードスルーは、水平面２１０２に沿うおよび縁２１０３（すなわち、垂直面）に沿う場合を含めて、２つの平面に沿ってハウジングからシールされる。
【０１０６】
ある場合には、フィードスルーは、ハウジング内に埋め込まれて全ての側でハウジングから電気的に絶縁されるが、１つの平面のみに沿ってシールされる。例えば、水平シム（例えば、セラミック材料から形成される）をフィードスルーとハウジングとの間に水平方向で置くことができ、また、シーラントを垂直方向に沿って配置することができる。幾つかの実施形態では、垂直リング（例えば、セラミック材料から形成される）がフィードスルーとハウジングとの間に垂直方向で（例えば、縁に沿って）配置され、また、シーラントを水平方向に沿って配置できる。図２２は、フィードスルー、ハウジング、および、２つの平面（例えば、垂直および水平）に沿うシール水平シム２２０１および／または垂直リング２２００の３次元分解図を示す。
【０１０７】
図２３は、左から右へと、電気化学セルハウジング２３００、水平シム２３０１、導電フィードスルー２３０２、および、最も右側の垂直リング２３０３を含むアセンブリの各層の平面図を示す。一実施形態では、図示のように、アセンブリの層が相対的な寸法を有する。特に、ハウジング２３００は、１．５の第２の直径を伴う１つの任意の単位の内径（記号φにより示される）１．００と、４．００（例えば４インチ）の外径とを伴う穴を有してもよい。ハウジング２３００のベースは、金属から形成することができ、約０．５の厚さをなり得る。ある場合には、水平シム２３０１は、０．０５の厚さを伴って０．６の内径と１．５の外径とを有する。幾つかの実施形態では、導電フィードスルー２３０２が１．３８の直径と０．２の厚さとを有する。ある場合には、垂直リング２３０３は、１．３８の内径、１．５の外径、および、０．２の厚さを有する。
【０１０８】
ハウジングおよびフィードスルーが異なる熱膨張係数を有する異なる材料から形成される場合には、圧縮力をシールでもたらすことができる。幾つかの実施形態では、ハウジングがフィードスルーよりも大きい熱膨張係数を有する。シールは、高温で膨張されるときに材料間に置くことができる。冷却時、シールの際に圧縮力をもたらすために、材料が体積を収縮し得る（例えば、外側のハウジングが内側のフィードスルーよりも大きく収縮する）。力は、任意の適した（例えば、電気化学セルを密閉シールするのに適した）力であってもよい。ある場合には、力は、約１，０００ｐｓｉ、約２，０００ｐｓｉ、約５，０００ｐｓｉ、約１０，０００ｐｓｉ、または、約２０，０００ｐｓｉである。ある場合には、力は、少なくとも１，０００ｐｓｉ、少なくとも２，０００ｐｓｉ、少なくとも５，０００ｐｓｉ、少なくとも１０，０００ｐｓｉ、または、少なくとも２０，０００ｐｓｉである。
【０１０９】
一態様において、電気化学セルをシールするための方法は、（ａ）ハウジングと該ハウジング内に埋め込まれる物品との間にシーラント材料を加えるステップであって、シーラントは、シーラント材料が可鍛性を有し、粘性を有し、および／または、流動性を有する温度で加えられ、ハウジングおよび物品が異なる熱膨張係数を有する、ステップと、（ｂ）シーラント材料が可鍛性を有さない、粘性を有さない、および／または、流動性を有さない温度、すなわち、シーラント材料が凝固するあるいは硬化する温度まで温度を下げ、それにより、圧縮力下にあるシールをハウジングと物品との間に形成するステップとを備える。幾つかの実施形態において、シールは、電気化学セルの動作温度で圧縮を受ける。
【０１１０】
シーラントは任意の適した材料であってもよい。ある場合には、金属基板上にセラミックを蝋付けすることによってシールが形成される。幾つかの実施形態では、セラミックおよび／またはガラスを凝固させることによってシールが形成される。幾つかの実施形態では、機械的におよび／または化学的に結合されたガラスまたはガラスーセラミック複合体によってシールが形成される。
【０１１１】
ある場合には、シーラント材料は、ホウケイ酸ガラス（または、他のシール固有のガラス）などのリフロー可能な材料である。そのような実施形態では、ホウケイ酸ガラスチューブを水平スペーサとしてセル上端の周囲でスライドさせることによって密閉シールをもたらすことができる。嵌め込み空間内へのリフロー可能材料の挿入後、例えば約７００〜８００℃の温度まで加熱することにより、ホウケイ酸ガラスの流れがガラスシールを形成できる。シールは、バッテリー動作温度で安定し得る。ある場合には、ガラスシールは、セルを密閉シールするのに適した厚さであり、剪断応力に対して弾力的である。幾つかの実施形態において、セルは、亀裂や層間剥離等を伴うことなくシールが一様に形成されるように、溶融後にゆっくりと一様に冷却される。
【０１１２】
ある場合には、複数のシーラント材料を使用できる。幾つかの実施形態では、シールが少なくとも２つの異なる材料から形成され、それらの材料のうちの少なくとも１つは、電気化学セル内に収容される材料との接触による減成に対して耐性がある。幾つかの実施形態において、シールは、ナトリウム（Ｎａ）、リチウム（Ｌｉ）、または、マグネシウム（Ｍｇ）などの反応性金属蒸気に対して耐性がある。ある場合には、シールがカルコゲニドシール（例えば、ＣａＡｌ２Ｓ４などのｃｈａｌｇｅｎを備える）である。幾つかの実施形態では、シーラント材料がカルコゲニド系化合物である。ある場合には、カルコゲニドが化学式ＣａＡｌ２Ｓ４を有する。
【０１１３】
本開示のシステム、装置、および、方法は、参照することにより全体が本願に組み入れられる米国特許公開第２０１２／０１０４９９０号（「Ａｌｋａｌｉ  Ｍｅｔａｌ  Ｉｏｎ  Ｂａｔｔｅｒｙ  ｗｉｔｈ  Ｂｉｍｅｔａｌｌｉｃ  Ｅｌｅｃｔｒｏｄｅ」）に記載されるバッテリーおよびバッテリー構成要素などの他のシステム、装置、および／または、方法と組み合わされてもよくあるいはこれらの他のシステム、装置、および／または、方法によって変更されてもよい。
【０１１４】
本開示のエネルギー蓄積デバイスは、配電網スケール設定またはスタンドアロン設定において使用されてもよい。本開示のエネルギー蓄積デバイスは、ある場合には、スクーター、オードバイ、車、トラック、列車、ヘリコプター、航空機などの車両、および、ロボットなどの他の機械的なデバイスに給電するために使用され得る。
【０１１５】
当業者であれば分かるように、バッテリーハウジング構成要素は、先に与えられた例以外の材料から構成されてもよい。導電バッテリーハウジング構成要素のうちの１つ以上は、例えば、スチール以外の金属、および／または、１つ以上の導電複合体から構成されてもよい。他の例において、電気絶縁構成要素のうちの１つ以上は、前述したガラス、マイカ、および、バーミキュライト以外の誘電体から構成されてもよい。したがって、本発明は、任意の特定のバッテリーハウジング材料に限定されない。
【０１１６】
言うまでもなく、本明細書中で使用される用語は、特定の実施形態を説明する目的で使用されており、本発明の範囲を限定しようとするものではない。本明細書中で使用される単数形「１つの（ａ，ａｎ）」および「その（ｔｈｅ）」は、文脈が別段明確に示唆しなければ、複数形を含むことに留意すべきである。また、別段規定されなければ、本明細書中で使用される全ての技術的および科学的な用語は、この発明が属する技術分野における当業者によって共通に理解される意味と同じ意味を有する。
【０１１７】
本明細書中では本発明の好ましい実施形態を図示して説明してきたが、当業者に明らかなように、そのような実施形態は単なる一例として与えられる。本発明から逸脱することなく、多くの変形、変更、および、置換を当業者が想起できる。言うまでもなく、本発明を実施する際に、本明細書中に記載される発明の実施形態に対する様々な代案が使用されてもよい。以下の特許請求項が本発明の範囲を規定し、また、それによってこれらの特許請求項およびそれらの等価物の範囲の方法および構造が保護されることが意図される。
【図１】
0006286438.tif 000002
【図２】
0006286438.tif 000003
【図３】
0006286438.tif 000004
【図４】
0006286438.tif 000005
【図５】
0006286438.tif 000006
【図６Ａ】
0006286438.tif 000007
【図６Ｂ】
0006286438.tif 000008
【図７】
0006286438.tif 000009
【図８】
0006286438.tif 000010
【図９】
0006286438.tif 000011
【図１０】
0006286438.tif 000012
【図１１】
0006286438.tif 000013
【図１２】
0006286438.tif 000014
【図１３】
0006286438.tif 000015
【図１４】
0006286438.tif 000016
【図１５】
0006286438.tif 000017
【図１６】
0006286438.tif 000018
【図１７Ａ】
0006286438.tif 000019
【図１７Ｂ】
0006286438.tif 000020
【図１８】
0006286438.tif 000021
【図１９】
0006286438.tif 000022
【図２０】
0006286438.tif 000023
【図２１】
0006286438.tif 000024
【図２２】
0006286438.tif 000025
【図２３】
0006286438.tif 000026